(57)【要約】【課題】高出力のマイクロ波を照射する場合でも手術電極の刺入頭部への生体組織の付着を低減することができ、かつ、マイクロ波の照射出力が小さい場合でも刺入頭部の先端部周辺の生体組織も確実に熱凝固させることができる手術電極を備えたマイクロ波手術器を提供する。【解決手段】生体組織に挿入される管状の外部電極３と、該外部電極３の先端より導出されるマイクロ波照射部１６を有して前記外部電極３の芯部に挿入された棒状の中心電極１と、該中心電極１と前記外部電極３の間に挿入された管状の絶縁体２とからなる手術電極１０を備えたマイクロ波手術器であって、前記中心電極１の先端部に尖鋭状の絶縁体からなる刺入頭部２１を設けると共に、前記中心電極１の先端に対向して第２電極２５を設けた。【選択図】          図１
2004187704.tif 000002
【特許請求の範囲】
【請求項１】
生体組織に挿入される管状の外部電極と、該外部電極の先端より導出されるマイクロ波照射部を有して前記外部電極の芯部に挿入された棒状の中心電極と、該中心電極と前記外部電極の間に挿入された管状の絶縁体とからなる手術電極を備えたマイクロ波手術器であって、前記中心電極の先端部に尖鋭状の絶縁体からなる刺入頭部を設けると共に、前記中心電極の先端に対向して第２電極を設けたマイクロ波手術器。
【請求項２】
前記中心電極の先端に該中心電極より大径の第１電極を設けると共に、該第１電極に対向して第２電極を設けた請求項１に記載のマイクロ波手術器。
【請求項３】
前記刺入頭部が合成樹脂又はセラミックスからなる請求項１又は２に記載のマイクロ波手術器。
【請求項４】
前記手術電極の外周をフッ素樹脂で被覆してなる請求項１乃至３のいずれかに記載のマイクロ波手術器。
【請求項５】
前記フッ素樹脂が熱収縮チューブからなる請求項４に記載のマイクロ波手術器。
【請求項６】
前記刺入頭部の基端部を凹状に形成し、前記熱収縮チューブの先端部と共に前記手術電極の先端部に冠着して設けた請求項５に記載のマイクロ波手術器。
【請求項７】
前記刺入頭部をフッ素樹脂でコーティングした請求項１乃至６のいずれかに記載のマイクロ波手術器。
【請求項８】
前記マイクロ波照射部の一部に補正金属管を設け、前記マイクロ波照射部から照射されるマイクロ波の分布を補正するようにした請求項１乃至７のいずれかに記載のマイクロ波手術器。
【請求項９】
前記補正金属管と前記マイクロ波照射部との間に絶縁体を挿入した請求項８に記載のマイクロ波手術器。
【請求項１０】
前記外部電極の先端部近傍に温度センサーを設けた請求項１乃至９のいずれかに記載のマイクロ波手術器。
【請求項１１】
前記温度センサーの周囲を金属で覆って設けた請求項１０に記載のマイクロ波手術器。
【請求項１２】
前記マイクロ波照射部の少なくとも先端部を除く前記手術電極の外周に冷却液流路を設けた請求項１乃至１１のいずれかに記載のマイクロ波手術器。
【請求項１３】
前記外部電極の外側に冷却液流路の外部管を設け、該外部管と前記外部電極を外部電極の先端部で接続し、前記外部電極と前記外部管の間に冷却液流路を形成して前記マイクロ波照射部を除く手術電極を冷却するようにした請求項１２に記載のマイクロ波手術器。
【請求項１４】
前記外部管と前記外部電極の間に先端が開口した冷却液流路の仕切管を設けた請求項１２又は１３に記載のマイクロ波手術器。
【請求項１５】
前記冷却液流路に先端が開口した冷却液供給管を設けた請求項１２又は１３に記載のマイクロ波手術器。
【発明の詳細な説明】
【０００１】
【発明の属する技術分野】
本発明は、マイクロ波により生体組織の凝固、止血等を行うマイクロ波手術器に関する。
【０００２】
【従来の技術】
近年、生体の深部における病変組織の治療方法として、生体内の病変組織に手術電極を刺入し、病変組織にマイクロ波を照射することによって、組織内に発生した誘電熱により病変組織を熱凝固させて治療する熱凝固療法が行われるようになっている。
【０００３】
従来、熱凝固療法を行うためのマイクロ波手術器としては、図７に示すように、生体組織に挿入される管状の外部電極３と、該外部電極３の先端より導出されるマイクロ波照射部１６を有して前記外部電極３の芯部に挿入された棒状の中心電極１と、該中心電極１と前記外部電極３の間に挿入された管状の絶縁体２とからなる手術電極１０を備えたマイクロ波手術器が知られている（例えば、特許文献１参照）。
【０００４】
また、手術後に手術器に解離用陰極電流を流すための組織解離用電源装置を設けることにより、手術電極を生体から容易に解離できるようにしたもの（例えば、特許文献２参照）や、手術電極にテフロン（登録商標）等の非粘着コーティングを施すことにより生体への付着を防ぐようにしたもの（例えば、特許文献３参照）が知られている。
【０００５】
【特許文献１】
特開平１０−１３７２５８号公報
【特許文献２】
特公平１−２０６１７号公報
【特許文献３】
特許第２６８３４２７号公報
【０００６】
【発明が解決しようとする課題】
しかし、従来のマイクロ波手術器は、生体組織に接して刺入される照射先端部１５が渦電流等により加熱され、凝固した生体組織が照射先端部１５に付着するという課題があり、そのため、手術後に該手術器に解離用陰極電流を流すための組織解離用電源装置を設けることにより、手術電極を生体から容易に解離できるようにしたもの（例えば、特許文献２参照）や、手術電極にテフロン（登録商標）等の非粘着コーティングを施すことにより生体への付着を防ぐようにしたもの（例えば、特許文献３参照）が知られている。しかし、このマイクロ波による熱凝固療法において、患者への負担を軽減するために、手術電極の１回の穿刺による病変組織の凝固範囲を拡大し、生体組織への手術電極の穿刺回数を低減することができるように、より高出力のマイクロ波を照射する場合、前記した手術電極においては生体への付着を充分防止できるとはいえなかった。そこで、鋭意研究した結果、本願発明者等は、照射先端部を絶縁体からなる刺入頭部を中心電極の先端部に設けてなり、照射先端部に付着する生体組織を低減するようにした手術電極を開発した。
【０００７】
この手術電極は、凝固範囲を大きくするために高出力のマイクロ波を照射する場合でも照射先端部に付着する生体組織を低減することができるが、一方、患部が小さく凝固範囲を大きくする必要がない場合に、照射するマイクロ波の出力を小さくすると、刺入頭部の先端部周辺の生体組織まで充分にマイクロ波を照射することができず、刺入頭部の先端部周辺の生体組織の凝固が不十分となり出血する恐れがあるという課題があった。
【０００８】
そこで、本発明は、高出力のマイクロ波を照射する場合でも手術電極の刺入頭部への生体組織の付着を低減することができ、かつ、マイクロ波の照射出力が小さい場合でも刺入頭部の先端部周辺の生体組織も確実に熱凝固させることができる手術電極を備えたマイクロ波手術器を提供するものである。
【０００９】
【課題を解決するための手段】
本発明は、上記課題を解決するために、生体組織に挿入される管状の外部電極と、該外部電極の先端より導出されるマイクロ波照射部を有して前記外部電極の芯部に挿入された棒状の中心電極と、該中心電極と前記外部電極の間に挿入された管状の絶縁体とからなる手術電極を備えたマイクロ波手術器であって、前記中心電極の先端部に尖鋭状の絶縁体からなる刺入頭部を設けると共に、前記中心電極の先端に対向して第２電極を設けたマイクロ波手術器を提供するものである。
【００１０】
本発明によれば、高出力のマイクロ波を照射した場合でも、照射先端部に絶縁体からなる刺入頭部を設けたことにより、照射先端部のマイクロ波による加熱を低減させて、照射先端部への生体組織の付着を低減することができる。また、照射されるマイクロ波の出力が小さい場合でも、中心電極の先端に対向して設けた第２電極にマイクロ波が誘導されて第２電極からもマイクロ波が照射されるから、第２電極から照射されるマイクロ波により刺入頭部の先端付近の生体組織も確実に熱凝固することができ、刺入先端付近の生体組織からの出血を防ぐことができる。
【００１１】
また、本発明は、前記中心電極の先端に該中心電極より大径の第１電極を設けると共に、該第１電極に対向して第２電極を設けた請求項１に記載のマイクロ波手術器を提供するものである。
本発明によれば、手術電極に供給するマイクロ波の出力に応じて第１電極及び第２電極の径を適宜に選択することにより、刺入頭部への生体組織の付着を低減すると共に、刺入頭部の先端部周辺の生体組織も確実に熱凝固させるマイクロ波を第２電極から照射することができる。
【００１２】
また、本発明は、前記刺入頭部が合成樹脂又はセラミックスからなる請求項１又は２に記載のマイクロ波手術器を提供するものである。
本発明によれば、刺入頭部を合成樹脂又はセラミックスで成形することにより、任意の形状に容易に成形することができる。
【００１３】
また、本発明は、前記手術電極の外周をフッ素樹脂で被覆してなる請求項１乃至３のいずれかに記載のマイクロ波手術器を提供するものである。
本発明によれば、非粘着性に優れたフッ素樹脂によって、マイクロ波により熱凝固された生体細胞の手術電極への付着を低減することができる。
【００１４】
また、本発明は、前記フッ素樹脂が熱収縮チューブからなる請求項４に記載のマイクロ波手術器を提供するものである。
本発明によれば、熱収縮チューブを熱収縮させて手術電極に被覆することにより、フッ素樹脂を手術電極の外周に容易に被覆することができる。
【００１５】
また、本発明は、前記刺入頭部の基端部を凹状に形成し、前記熱収縮チューブの先端部と共に前記手術電極の先端部に冠着して設けた請求項５に記載のマイクロ波手術器を提供するものである。
本発明によれば、手術電極を生体組織内に刺入する際に、熱収縮チューブの先端が捲れることを防止することができる。
【００１６】
また、本発明は、前記刺入頭部をフッ素樹脂でコーティングした請求項１乃至６のいずれかに記載のマイクロ波手術器を提供するものである。
本発明によれば、フッ素樹脂をコーティングすることにより尖鋭状の刺入頭部にもフッ素樹脂を被覆することができ、マイクロ波により熱凝固された生体組織の付着を低減することができる。
【００１７】
また、本発明は、前記マイクロ波照射部の一部に補正金属管を設け、前記マイクロ波照射部から照射されるマイクロ波の分布を補正するようにした請求項１乃至７のいずれかに記載のマイクロ波手術器を提供するものである。
本発明によれば、補正金属管によってマイクロ波照射部のインピーダンスを補正することができ、照射されるマイクロ波の分布が補正されるから、マイクロ波による生体組織の凝固形状も補正することができる。
【００１８】
また、本発明は、前記補正金属管と前記マイクロ波照射部との間に絶縁体を挿入した請求項８に記載のマイクロ波手術器を提供するものである。
本発明によれば、絶縁体を挿入することにより補正金属管をマイクロ波照射部の絶縁用スリーブと管状絶縁体の間に確実に装着できると共に、補正金属管による照射されるマイクロ波の分布の補正に加えて、絶縁体によって更にマイクロ波の分布の補正を調整することができるので、マイクロ波による生体組織の凝固形状の補正をより的確に行うことができる。
【００１９】
また、本発明は、前記外部電極の先端部近傍に温度センサーを設けた請求項１乃至９のいずれかに記載のマイクロ波手術器を提供するものである。
本発明によれば、生体組織の熱凝固が不十分な場合は血流による温度低下が生じるから、生体組織の凝固部分の温度を測定することにより生体組織の凝固状態を把握することができ、マイクロ波照射の終了時期を判断することができる。
【００２０】
また、本発明は、前記温度センサーの周囲を金属で覆って設けた請求項１０に記載のマイクロ波手術器を提供するものである。
本発明によれば、温度センサーの周囲を覆った金属によって電磁シールドされて、温度センサーがマイクロ波の影響を受けることなく生体組織の温度を測定することができる。
【００２１】
また、本発明は、前記マイクロ波照射部の少なくとも先端部を除く前記手術電極の外周に冷却液流路を設けた請求項１乃至１１のいずれかに記載のマイクロ波手術器を提供するものである。
本発明によれば、冷却液流路によりマイクロ波照射部の少なくとも先端部を除く手術電極を冷却することによって、治療部位以外の正常な生体組織に伝わる熱を低減することができる。また、マイクロ波照射部の一部を冷却することにより、マイクロ波による生体組織の凝固形状を補正することができる。
【００２２】
また、本発明は、前記外部電極の外側に冷却液流路の外部管を設け、該外部管と前記外部電極を外部電極の先端部で接続し、前記外部電極と前記外部管の間に冷却液流路を形成して前記マイクロ波照射部を除く手術電極を冷却するようにした請求項１２に記載のマイクロ波手術器を提供するものである。
本発明によれば、外部電極と外部管の間に形成した冷却液流路により、マイクロ波照射部を除く手術電極を冷却し、治療部位以外の正常な生体組織に伝わる熱を低減することができる。
【００２３】
また、本発明は、前記外部管と前記外部電極の間に先端が開口した冷却液流路の仕切管を設けた請求項１２又は１３に記載のマイクロ波手術器を提供するものである。
本発明によれば、冷却液流路を仕切管の内側と外側に同軸状に設けることができ、冷却効率が向上すると共に生体細胞への熱の伝達を低減することができる。
【００２４】
また、本発明は、前記冷却液流路に先端が開口した冷却液供給管を設けた請求項１２又は１３に記載のマイクロ波手術器を提供するものである。
本発明によれば、冷却液供給管によって冷却液を冷却液流路の先端側に供給するから、生体内に挿入する手術電極の先端側を効率良く冷却することができると共に、低い送水圧力でも冷却水の流量を確保することができる。
【００２５】
【発明の実施の形態】
本発明の実施の形態を図示する実施例に基づいて説明する。
本発明に係るマイクロ波手術器は、生体組織に挿入される管状の外部電極３と、該外部電極３の先端より導出されるマイクロ波照射部１６を有して前記外部電極３の芯部に挿入された棒状の中心電極１と、該中心電極１と前記外部電極３の間に挿入された管状の絶縁体２とからなる手術電極１０を備えたマイクロ波手術器であって、前記中心電極１の先端部に尖鋭状の絶縁体からなる刺入頭部２１を設けると共に、前記中心電極１の先端に対向して第２電極２５を設けてある。
【００２６】
図１又は図２に示す実施例において、中心電極１は、銀メッキを施したステンレスからなるが、リン青銅等を使用することもできる。中心電極１は、外部電極３の先端より導出された部分がマイクロ波照射部１６を形成し、生体組織内に刺入してマイクロ波を照射すると、生体組織内の水分子の振動を誘発して加熱され、生体組織を加熱凝固することができる。
【００２７】
図１又は図２の実施例において、マイクロ波照射部１６は、中心電極１の先端に該中心電極１より大径の第１電極２４を設けると共に、該第１電極２４に対向して第２電極２５を設けてある。
図示の実施例では、第１電極２４は、中心電極１と略垂直に設けた平板状の金属からなり、第２電極２５は、第１電極２４に対向して設けた第１電極２４と同形の平板状の金属と、該平板状の金属から刺入頭部２１の先端に向かって設けた棒状の金属とからなる。
【００２８】
これにより、第２電極２５には、第１電極２４からマイクロ波が誘導され、第２電極２５からもマイクロ波が照射される。従って、マイクロ波照射部１６から照射するマイクロ波の出力を小さくした場合でも、刺入した手術電極１０の先端周辺の生体組織も第２電極２５から照射されるマイクロ波により加熱凝固されるから、前記先端周辺の生体組織からの出血を防ぐことができる。
なお、第１電極及び第２電極は、平板状に設ける場合に限らず、円柱状に設けることもでき、また、棒状の第２電極を中心電極１の先端に対向して設けることも可能である。
【００２９】
図１又は図２の実施例において、刺入頭部２１は、尖鋭状の絶縁体からなり、第１電極２４と第２電極２５をインサート成形してある。
また、刺入頭部２１は、高硬度かつ耐熱性を有する合成樹脂又はセラミックスからなり、手術電極１０を生体組織内に刺入するときに折れないようにしてあると共に、マイクロ波によって生じる熱にも耐えることができるようにしてある。高硬度で耐熱性に優れていることから、ＰＥＥＫ（ポリエーテルエーテルケトン）、ＰＩ（ポリイミド）、ＰＢＩ（ポリベンゾイミダゾール）等の合成樹脂又はセラミックスを使用することが好ましい。
また、刺入頭部２１には、フッ素樹脂をコーティングしてあり、刺入頭部２１への生体組織の付着を低減することができるようにしてある。
【００３０】
図１又は図２の実施例において、１１は、絶縁用スリーブであり、刺入頭部２１の後方に中心電極１を覆うように設けてある。絶縁用スリーブ１１は、絶縁性がよく、高硬度かつ耐熱性を有するものとして、例えば、ＰＥＥＫ（ポリエーテルエーテルケトン）、ＰＩ（ポリイミド）、ＰＢＩ（ポリベンゾイミダゾール）等の合成樹脂により形成されることが好ましいが、アルミナ等のセラミックスや他の絶縁体により形成することもできる。
また、絶縁用スリーブ１１は、先端部を凸状に設けてあり、刺入頭部２１の基端側の凹部１７に嵌合して設けてある。
【００３１】
図２の実施例において、１２は補正金属管であり、絶縁用スリーブ１１の外周にメッキを施して、中心電極１と同軸状に形成された金属層からなる。補正金属管１２をメッキにより薄い金属層に形成したことによって、補正金属管１２を設ける部分の絶縁用スリーブ１１の厚さを確保でき、強度を保つことができる。
また、補正金属管１２の長さ、材質をステンレス、銅、黄銅、リン青銅等の金属から適宜に選択することにより、生体組織に照射されるマイクロ波の分布を補正することができ、所望の生体組織の凝固形状を得ることができる。
なお、補正金属管１２は、絶縁用スリーブ１１と絶縁体２の間に絶縁リング等の絶縁体を介して中心電極１と同軸状に設けることもでき、中心電極１に接して設けることも勿論可能である。前者のように補正金属管１２をマイクロ波照射部１６との間に絶縁体を挿入して設ける場合は、絶縁体によって更に照射されるマイクロ波の分布の補正を調整することができるので、マイクロ波による生体組織の凝固形状の補正をより的確に行うことができる。
【００３２】
図１又は図２に示す実施例において、外部電極３は、ＳＵＳ３０４又は黄銅等を使用している。外部電極３は、中心電極１との間に設けた絶縁体２により絶縁され、中心電極１と同軸ケーブルを構成して、マイクロ波をマイクロ波照射部１６に効率良く伝送するようにしてある。
【００３３】
図１又は図２に示す実施例において、４は、冷却液流路７の外部管であり、外部管４と外部電極３を外部電極３の先端部で接続部材５により液密に接続し、外部電極３と外部管４の間に冷却液流路７を形成してある。
また、６は、冷却液流路７の仕切管である。仕切管６は、外部管４と外部電極３の間の冷却液流路７に先端を開口して設けてあり、図示の実施例では、仕切管６の外側を通って冷却液を供給し、仕切管６の内側を通って冷却液を排出するように構成してある。
【００３４】
冷却液流路７は、図５に示すように、外部管４の基端部側に給水ホース１９を設けて、冷却液を冷却液流路７に供給することができるようにしてあると共に、仕切管６の基端部側に排水ホース２０を設けて、冷却液を手術電極１０外に排出することができるように構成してある。
なお、冷却液流路７は、給水ホース１９と排水ホース２０を図示の実施例と逆に接続して、仕切管６の内側を通って冷却液を供給し、仕切管６の外側を通って冷却液を排出するように構成することもできる。
【００３５】
また、図３又は図４に示すように、冷却液流路７には、先端が開口した冷却液供給管３５を設け、冷却液供給管３５を通って冷却液流路７の先端側に冷却液を供給し、冷却液流路７を通って冷却液を排出しながら外部電極３を冷却するように構成することもできる。冷却液供給管３５は、管を扁平状に形成してあり、冷却水の流量を確保することができるようにしてある。
なお、照射されるマイクロ波の出力が小さく、外部電極３の温度上昇が小さい場合には、冷却液流路７を設ける必要はない。
【００３６】
図１又は図２に示す実施例において、８は、温度センサーであり、外部電極３の先端部近傍に設け、生体組織の温度を測定するようにしてある。
また、温度センサー８は、マイクロ波照射部１６から照射されるマイクロ波の影響を受けないように、電磁シールドして設けることが好ましく、図示の実施例では、温度センサー８は、金属製の接続部材５の内部に設けてある。
【００３７】
９は、センサーラインであり、温度センサー８により測定された生体組織の温度情報を外部に伝達することができるようにしてある。センサーライン９は、金属製の外部管４の内側に設けてあり、マイクロ波による影響を受けないようにしてある。
【００３８】
図１又は図２に示す実施例において、１４は、加熱することで内径方向に収縮する熱収縮チューブであり、手術電極１０の外周に密着して設けてある。また、熱収縮チューブ１４は、非粘着性、耐薬品性及び絶縁性を備えたフッ素樹脂を用い、手術電極１０の外周への生体組織の付着を低減するようにしてある。
熱収縮チューブ１４の端部は、絶縁スリーブ１１の先端部に沿って被覆してあり、刺入頭部２１を熱収縮チューブ１４と共に絶縁スリーブ１１の先端部に冠着して、手術電極１０を生体組織内に刺入する際に熱収縮チューブ１４が捲れないようにしてある。
なお、手術電極１０の外周にフッ素樹脂を被覆することができればよいから、実施例のように熱収縮チューブによる場合に限らず、フッ素樹脂を手術電極１０の外周にコーティングして設けることも可能である。
【００３９】
上記の手術電極１０を備えたマイクロ波手術器は、図６に示すように、マイクロ波を発生するマイクロ波発生装置３０と、手術電極１０にマイクロ波を伝送する同軸ケーブル３１と、冷却液流路７に冷却液を送り出すポンプ３２と、冷却液貯液槽３３と、冷却液廃液槽３４とからなる。
マイクロ波発生装置３０は、例えば、２４５０ＭＨｚのマイクロ波を発生することができ、治療部位や手術電極１０の種類に適した出力のマイクロ波を発生するように出力調整することができるようにしてある。
【００４０】
また、マイクロ波発生装置３０には、温度センサー８により測定された生体組織の温度を表示する温度表示器が設けてあり、測定された温度変化を観察しながらマイクロ波を照射することにより、凝固の適切な時期にマイクロ波の照射を終了することができる。
【００４１】
すなわち、生体組織にマイクロ波を照射すると、生体組織内の水分子が振動し加熱され、生体組織の温度が上昇する。加熱により水分が蒸発してなくなると、それ以上過熱できないから生体組織の温度上昇は鈍る。このとき、マイクロ波の照射を止めると、生体組織の凝固が不十分な場合には周囲の組織からの血流により、生体組織が冷却され温度の低下率が大きい。一方、生体組織が充分に凝固されている場合には、止血されて血流による冷却作用がないから、温度の低下率が小さい。
従って、マイクロ波照射のＯＮ・ＯＦＦを繰り返しながら生体組織の温度を測定すると、マイクロ波の照射を止めた後の温度の低下率が小さくなったところで、生体組織が凝固されていることが把握でき、マイクロ波照射の終了時期を知ることができる。
【００４２】
なお、温度表示器は、必ずしもマイクロ波発生装置３０に設ける必要はなく、別に表示器を設けることができる。
【００４３】
【発明の効果】
以上の通り、本発明に係るマイクロ波手術器によれば、生体組織に挿入される管状の外部電極と、該外部電極の先端より導出されるマイクロ波照射部を有して前記外部電極の芯部に挿入された棒状の中心電極と、該中心電極と前記外部電極の間に挿入された管状の絶縁体とからなる手術電極を備えたマイクロ波手術器であって、前記中心電極の先端部に尖鋭状の絶縁体からなる刺入頭部を設けると共に、前記中心電極の先端に対向して第２電極を設けた構成を有することにより、照射先端部に絶縁体からなる刺入頭部を設けたことによって、凝固範囲を大きくするために高出力のマイクロ波を照射する場合でも、照射先端部のマイクロ波による加熱を低減させて、照射先端部への生体組織の付着を低減することができる。また、中心電極の先端に対向して設けた第２電極にマイクロ波が誘導されて第２電極からもマイクロ波が照射されるから、照射されるマイクロ波の出力が小さい場合でも、第２電極から照射されるマイクロ波により刺入頭部の先端付近の生体組織も確実に熱凝固することができ、刺入先端付近の生体組織からの出血を防ぐことができる効果がある。
【００４４】
また、本発明は、前記中心電極の先端に該中心電極より大径の第１電極を設けると共に、該第１電極に対向して第２電極を設けた請求項１に記載の構成を有することにより、手術電極に供給するマイクロ波の出力に応じて第１電極及び第２電極の径を適宜に選択することによって、刺入頭部への生体組織の付着を低減すると共に、刺入頭部の先端部周辺の生体組織も確実に熱凝固させるマイクロ波を第２電極から照射することができる効果がある。
【００４５】
また、本発明は、前記刺入頭部が合成樹脂又はセラミックスからなる請求項１又は２に記載の構成を有することにより、刺入頭部を合成樹脂又はセラミックスで成形することによって、任意の形状に容易に成形することができる効果がある。
【００４６】
また、本発明は、前記手術電極の外周をフッ素樹脂で被覆してなる請求項１乃至３のいずれかに記載の構成を有することにより、非粘着性に優れたフッ素樹脂によって、マイクロ波により熱凝固された生体細胞の手術電極への付着を低減することができる効果がある。
【００４７】
また、本発明は、前記フッ素樹脂が熱収縮チューブからなる請求項４に記載の構成を有することにより、熱収縮チューブを熱収縮させて手術電極に被覆することによって、フッ素樹脂を手術電極の外周に容易に被覆することができる効果がある。
【００４８】
また、本発明は、前記刺入頭部の基端部を凹状に形成し、前記熱収縮チューブの先端部と共に前記手術電極の先端部に冠着して設けた請求項５に記載の構成を有することにより、手術電極を生体組織内に刺入する際に、熱収縮チューブの先端が捲れることを防止することができる効果がある。
【００４９】
また、本発明は、前記刺入頭部をフッ素樹脂でコーティングした請求項１乃至６のいずれかに記載の構成を有することにより、フッ素樹脂をコーティングすることによって尖鋭状の刺入頭部にもフッ素樹脂を被覆することができ、マイクロ波により熱凝固された生体組織の付着を低減することができる効果がある。
【００５０】
また、本発明は、前記マイクロ波照射部の一部に補正金属管を設け、前記マイクロ波照射部から照射されるマイクロ波の分布を補正するようにした請求項１乃至７のいずれかに記載の構成を有することにより、補正金属管によってマイクロ波照射部のインピーダンスを補正することができ、照射されるマイクロ波の分布が補正されるから、マイクロ波による生体組織の凝固形状も補正することができる効果がある。
【００５１】
また、本発明は、前記補正金属管と前記マイクロ波照射部との間に絶縁体を挿入した請求項８に記載の構成を有することにより、絶縁体によって照射されるマイクロ波の分布を更に補正することができるから、マイクロ波による生体組織の凝固形状の補正をより的確にすることができる効果がある。
【００５２】
また、本発明は、前記外部電極の先端部近傍に温度センサーを設けた請求項１乃至９のいずれかに記載の構成を有することにより、生体組織の熱凝固が不十分な場合は血流による温度低下が生じるから、生体組織の凝固部分の温度を測定することにより生体組織の凝固状態を把握することができ、マイクロ波照射の終了時期を判断することができる効果がある。
【００５３】
また、本発明は、前記温度センサーの周囲を金属で覆って設けた請求項１０に記載の構成を有することにより、温度センサーの周囲を覆った金属によって電磁シールドされて、温度センサーがマイクロ波の影響を受けることなく生体組織の温度を測定することができる効果がある。
【００５４】
また、本発明は、前記マイクロ波照射部の少なくとも先端部を除く前記手術電極の外周に冷却液流路を設けた請求項１乃至１１のいずれかに記載の構成を有することにより、冷却液流路によりマイクロ波照射部の少なくとも先端部を除く手術電極を冷却することによって、治療部位以外の正常な生体組織に伝わる熱を低減することができる。また、マイクロ波照射部の一部を冷却することにより、マイクロ波による生体組織の凝固形状を補正することができる効果がある。
【００５５】
また、本発明は、前記外部電極の外側に冷却液流路の外部管を設け、該外部管と前記外部電極を外部電極の先端部で接続し、前記外部電極と前記外部管の間に冷却液流路を形成して前記マイクロ波照射部を除く手術電極を冷却するようにした請求項１２に記載の構成を有することにより、外部電極と外部管の間に形成した冷却液流路によって、マイクロ波照射部を除く手術電極を冷却し、治療部位以外の正常な生体組織に伝わる熱を低減することができる効果がある。
【００５６】
また、本発明は、前記外部管と前記外部電極の間に先端が開口した冷却液流路の仕切管を設けた請求項１２又は１３に記載の構成を有することにより、冷却液流路を仕切管の内側と外側に同軸状に設けることができ、冷却効率が向上すると共に生体細胞への熱の伝達を低減することができる効果がある。
【００５７】
また、本発明は、前記冷却液流路に先端が開口した冷却液供給管を設けた請求項１２又は１３に記載の構成を有することにより、冷却液供給管によって冷却液を冷却液流路の先端側に供給するから、生体内に挿入する手術電極の先端側を効率良く冷却することができると共に、低い送水圧力でも冷却水の流量を確保することができる効果がある。
【図面の簡単な説明】
【図１】本発明マイクロ波手術器の一実施例のＡ部詳細を示す一部縦断正面図
【図２】他の実施例のＡ部詳細を示す一部縦断正面図
【図３】その他の実施例のＡ部詳細を示す一部縦断正面図
【図４】その実施例のＡ部詳細を示すＣ−Ｃ線断面図
【図５】本発明マイクロ波手術器の一実施例のＢ部詳細を示す一部縦断正面図
【図６】本発明マイクロ波手術器の全体構成を示す構成図
【図７】従来のマイクロ波手術器の手術電極部を示す一部縦断正面図
【符号の説明】
１  中心電極
２  絶縁体
３  外部電極
４  外部管
５  接続部材
６  仕切管
７  冷却液流路
８  温度センサー
９  センサーライン
１０  手術電極
１１  絶縁用スリーブ
１２  補正金属管
１４  熱収縮チューブ
１５  照射先端部
１６  マイクロ波照射部
１７  凹部
１９  給水ホース
２０  排水ホース
２１  刺入頭部
２４  第１電極
２５  第２電極
３０  マイクロ波発生装置
３１  同軸ケーブル
３２  ポンプ
３３  冷却液貯液槽
３４  冷却液廃液槽
３５  冷却液供給管
【図１】
2004187704.tif 000003
【図２】
2004187704.tif 000004
【図３】
2004187704.tif 000005
【図４】
2004187704.tif 000006
【図５】
2004187704.tif 000007
【図６】
2004187704.tif 000008
【図７】
2004187704.tif 000009